(57)【要約】【課題】隙間や壁際などの狭い場所であっても、設置や収納ができるようにした折畳み式物干し具を提供する。【解決手段】相対向して設けられる一対の支柱部材と、前記支柱部材に着脱自在に横架せしめられる物干し部材と、前記支柱部材の下端部に互いに平行に着脱自在に取り付けられる一対の台座部材と、前記台座部材の下面に着脱自在に取り付けられる複数のキャスター部材と、を含み、前記キャスター部材が、前記台座部材の中央部及び両端部に設けられ、前記台座部材が、前記支柱部材を中心に回動自在に形成されてなり、前記台座部材の平行状態とされていた各々の先端同士が互いに向き合うように内方へ９０°折畳み自在とされてなるようにした。【選択図】図１
0003170452.tif 000002
【実用新案登録請求の範囲】
【請求項１】
相対向して設けられる一対の支柱部材と、前記支柱部材に着脱自在に横架せしめられる物干し部材と、前記支柱部材の下端部に互いに平行に着脱自在に取り付けられる一対の台座部材と、前記台座部材の下面に着脱自在に取り付けられる複数のキャスター部材と、を含み、前記キャスター部材が、前記台座部材の中央部及び両端部に設けられ、前記台座部材が、前記支柱部材を中心に回動自在に形成されてなり、前記台座部材の平行状態とされていた各々の先端同士が互いに向き合うように内方へ９０°折畳み自在とされてなることを特徴とする折畳み式物干し具。
【請求項２】
前記支柱部材の軸線に対して着脱自在に垂直に取り付けられ、前記支柱部材に沿うように折畳み自在にされてなるフレーム部材と、をさらに含み、前記フレーム部材に物干し部材が横架せしめられることを特徴とする請求項１記載の折畳み式物干し具。
【請求項３】
前記相対向して設けられる一対の支柱部材に着脱自在に横架せしめられる梁部材をさらに含み、前記台座部材が、前記梁部材に沿うように折畳み自在にされてなることを特徴とする請求項１又は２記載の折畳み式物干し具。
【考案の詳細な説明】
【技術分野】
【０００１】
本考案は、狭小スペースにも設置できるようにした折畳み式物干し具に関する。
【背景技術】
【０００２】
従来、家庭、病院、宿泊施設などといった場所で、室内で洗濯物を干す際に、スチールパイプなどでできた物干し具が広く使われている。
【０００３】
しかしながら、かかる物干し具は、キャスター部材の位置などにより、設置できる場所が限られるという問題があった。また、使用しないときの保管スペースの問題もあり、例えば特許文献１に記載されたような物干し具が提案されているが、キャスター部材の位置が固定されているため、設置できる場所がやはり限られるという問題があった。
【先行技術文献】
【特許文献】
【０００４】
【特許文献１】実用新案登録第３０７８００３号公報
【考案の概要】
【考案が解決しようとする課題】
【０００５】
本考案は、上記した従来技術の問題点に鑑みてなされたものであり、隙間や壁際などの狭い場所であっても、設置や収納ができるようにした折畳み式物干し具を提供することを目的とする。
【課題を解決するための手段】
【０００６】
上記課題を解決するために、本考案の折畳み式物干し具は、相対向して設けられる一対の支柱部材と、前記支柱部材に着脱自在に横架せしめられる物干し部材と、前記支柱部材の下端部に互いに平行に着脱自在に取り付けられる一対の台座部材と、前記台座部材の下面に着脱自在に取り付けられる複数のキャスター部材と、を含み、前記キャスター部材が、前記台座部材の中央部及び両端部に設けられ、前記台座部材が、前記支柱部材を中心に回動自在に形成されてなり、前記台座部材の平行状態とされていた各々の先端同士が互いに向き合うように内方へ９０°折畳み自在とされてなることを特徴とする。
【０００７】
また、前記支柱部材の軸線に対して着脱自在に垂直に取り付けられ、前記支柱部材に沿うように折畳み自在にされてなるフレーム部材と、をさらに含み、前記フレーム部材に物干し部材が横架せしめられるようにするのが好適である。
【０００８】
さらに、前記相対向して設けられる一対の支柱部材に着脱自在に横架せしめられる梁部材をさらに含み、前記台座部材が、前記梁部材に沿うように折畳み自在にされてなるようにしてもよい。
【考案の効果】
【０００９】
本考案によれば、隙間や壁際などの狭い場所であっても、設置や収納ができるようにした折畳み式物干し具を提供することができるという著大な効果を奏する。
【図面の簡単な説明】
【００１０】
【図１】本考案の折畳み式物干し具の一つの実施の形態を示す斜視図である。
【図２】本考案の折畳み式物干し具の組立て方を示す概略説明図である。
【図３】台座部材の折畳み方を示す概略説明図である。
【図４】台座部材の片方だけを折り畳んだ状態の折畳み式物干し具を示す斜視図である。
【考案を実施するための形態】
【００１１】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【００１２】
図において、符号１０は、本考案の折畳み式物干し具を示す。折畳み式物干し具１０は、相対向して設けられる一対の支柱部材１２ａ，１２ｂと、前記支柱部材１２ａ，１２ｂに着脱自在に横架せしめられる物干し部材１４ａと、前記支柱部材の下端部に互いに平行に着脱自在に取り付けられる一対の台座部材１６ａ，１６ｂと、前記台座部材１６ａ，１６ｂの下面に着脱自在に取り付けられる複数のキャスター部材１８ａ，１８ｂ，１８ｃ，１８ｄ，１８ｅ，１８ｆと、を含む構成とされている。
【００１３】
そして、前記キャスター部材１８ｂ，１８ｅが、前記台座部材１６ａ，１６ｂの中央部に、前記キャスター部材１８ａ，１８ｃ，１８ｄ，１８ｆが、前記台座部材１６ａ，１６ｂの両端部に設けられており、前記台座部材１６ａ，１６ｂが、前記支柱部材１２ａ，１２ｂを中心に回動自在に形成されてなり、前記台座部材１６ａ，１６ｂの平行状態とされていた各々の先端（２０ａ，２０ｂ，２０ｃ，２０ｄ）同士が互いに向き合うように内方へ９０°折畳み自在とされてなる。
【００１４】
図示の例では、また、前記支柱部材１２ａ，１２ｂの軸線に対して着脱自在に垂直に取り付けられ、前記支柱部材１２ａ，１２ｂに沿うように折畳み自在にされてなるフレーム部材２２ａ，２２ｂ，２４ａ，２４ｂと、をさらに含み、前記フレーム部材２２ａ，２２ｂ，２４ａ，２４ｂに物干し部材１４ｂ，１４ｃが横架せしめられている。
【００１５】
図示の例では、さらに、前記相対向して設けられる一対の支柱部材１２ａ，１２ｂの下部に着脱自在に横架せしめられる梁部材２６をさらに含んでおり、前記台座部材１６ａ，１６ｂが、前記梁部材２６に沿うように折畳み自在にされてなるように構成されている。
【００１６】
本考案において、物干し部材は支柱部材１２ａ，１２ｂに着脱自在に横架せしめられればよいものであるから、物干し部材１４ａのように、支柱部材１２ａ，１２ｂに直接横架せしめてもよいし、物干し部材１４ｂ，１４ｃのように、前記フレーム部材２２ａ，２２ｂ，２４ａ，２４ｂを介して横架せしめる構成としてもよい。
【００１７】
図示の例では、さらにまた、係着部材３６ａ，３６ｂが支柱部材１２ａ，１２ｂに回動自在に取り付けられている。
【００１８】
図１に、本考案の折畳み式物干し具１０において、前記台座部材１６ａ，１６ｂの平行状態とされていた各々の先端（２０ａ，２０ｂ，２０ｃ，２０ｄ）同士が互いに向き合うように前記梁部材２６に沿って内方へ９０°折り畳んだ状態を示す。
【００１９】
図１では、フレーム部材２２ａ，２２ｂ，２４ａ，２４ｂも、前記支柱部材１２ａ，１２ｂに沿って折畳んだ状態となっている。そして、係着部材３６ａ，３６ｂも互いの先端が向き合うように内方へ回した状態となっている。
【００２０】
このように、図１の状態のように折り畳むことで、狭いスペースにも入れられるので、狭いスペースで洗濯物を干す場合にも有効であるし、非使用時に収納する場合にも嵩張らずに省スペースで収納することができる。
【００２１】
図２に、本考案の折畳み式物干し具の組立て方の１例を示す。図２（ａ）〜図２（ｄ）において、物干し部材１４ｂを取り付けた小フレーム部材２８ａ，２８ｂ及び小フレーム部材２８ｃ，２８ｄを接合部材３０ａ，３０ｂを挟んで取り付けることで、フレーム部材２２ａ，２２ｂとし、前記支柱部材１２ａ，１２ｂの軸線に対して着脱自在に垂直に取り付けられる。そして、前記支柱部材１２ａ，１２ｂに沿ってフレーム部材２２ａ，２２ｂは折畳み可能とされている。
【００２２】
図２（ｅ）〜図２（ｆ）において、前記台座部材１６ａ，１６ｂが互いに平行となるように梁部材２６が取り付けられ、図２（ｇ）で取り付けた前記支柱部材１２ａ，１２ｂを中心に回動自在に形成されてなり、前記台座部材１６ａ，１６ｂの平行状態とされていた各々の先端（２０ａ，２０ｂ，２０ｃ，２０ｄ）同士が互いに向き合うように内方へ９０°折畳み自在とされている。前記支柱部材１２ａ，１２ｂは、上部支柱部材３２ａ，３４ａと下部支柱部材３２ｂ，３４ｂとを連結して構成されている。
【００２３】
図２（ｈ）〜図２（ｊ）において、物干し部材１４ａ，１４ｂ，１４ｃをそれぞれ取り付ける。フレーム部材２４ａ，２４ｂの取り付けは、フレーム部材２２ａ，２２ｂと全く同様である。そして、前記物干し部材１４ａを前記支柱部材１２ａ，１２ｂに横架せしめて着脱自在に取り付ける。
【００２４】
このようにして組み立てられた折畳み式物干し具１０は、図２（ｊ）の状態のまま使用することも勿論可能である。
【００２５】
狭いスペースに設置したり、収納する場合には、図３によく示されるように、前記支柱部材１２ａ，１２ｂを中心に回動自在に形成されてなり、前記台座部材１６ａ，１６ｂの平行状態とされていた各々の先端（２０ａ，２０ｂ，２０ｃ，２０ｄ）同士が互いに向き合うように内方へ９０°折畳む。また、係着部材３６ａ，３６ｂも内方へ折り畳む。
【００２６】
すると、図１に示した状態となり、省スペース構造となる。
【００２７】
また、壁際などにくっつけて使用する場合、図４のように、前記台座部材１６ａ，１６ｂを片側だけ内方へ９０°折畳むことで、壁際まで寄せることができる。また、フレーム部材２２ａ，２２ｂ，２４ａ，２４ｂについても片側だけ折り畳むことで、壁際まで寄せることができる。
【００２８】
このように、本考案の折畳み式物干し具１０は、使用する場所や収納場所に応じて、折り畳んで形態を変えることができるので、隙間や壁際などの狭い場所であっても、設置や収納が可能である。
【符号の説明】
【００２９】
１０：折畳み式物干し具、１２ａ，１２ｂ：支柱部材、１４ａ，１４ｂ，１４ｃ：物干し部材、１６ａ，１６ｂ：台座部材、１８ａ，１８ｂ，１８ｃ，１８ｄ，１８ｅ，１８ｆ：キャスター部材、２０ａ，２０ｂ，２０ｃ，２０ｄ：先端、２２ａ，２２ｂ，２４ａ，２４ｂ：フレーム部材、２６：梁部材、２８ａ，２８ｂ，２８ｃ，２８ｄ：小フレーム部材、３０ａ，３０ｂ：接合部材、３２ａ，３４ａ：上部支柱部材、３２ｂ，３４ｂ：下部支柱部材、３６ａ，３６ｂ：係着部材。
【図１】
0003170452.tif 000003
【図２】
0003170452.tif 000004
【図３】
0003170452.tif 000005
【図４】
0003170452.tif 000006